(57)【要約】【課題】印字ヘッドによる上下方向の印字中心位置と印字媒体であるテープのテープ幅方向中心位置との適切な位置関係を維持することができるテープカセット、およびテープ印字装置を提供する。【解決手段】テープカセット３０は、テープ印字装置に着脱可能であり、カセットケース３１と、カセットケース３１内に回転自在に収納された印字媒体であるテープと、テープカセット３０がテープ印字装置に装着された場合に、サーマルヘッドを支持するヘッドホルダ７４が挿入されるヘッド挿入部と、サーマルヘッドに対してテープの搬送方向上流側で、ヘッドホルダ７４に設けられた上流側支持部７４ａによって支持される上流側受け部３９ａと、テープ印字装置のカセットカバーに設けられたヘッド押え部材７によって上方から押圧される押え受け部３９ｃとを備えている。【選択図】図２２
2011011342.tif 000002
【特許請求の範囲】
【請求項１】
印字ヘッドを備えたテープ印字装置に着脱可能なテープカセットであって、
上面、底面、前面、および一対の側面を備えたカセットケースと、
前記カセットケース内に回転自在に収納された、印字媒体であるテープが巻回されたテープロールと、
前記テープカセットが前記テープ印字装置に装着された場合に、前記印字ヘッドを支持するヘッドホルダが挿入される空間であって、前記カセットケースを上下方向に貫通し、前記前面に沿って延びるヘッド挿入部と、
前記テープカセットが前記テープ印字装置に装着された場合に、前記テープ印字装置の第１カセット支持部によって下方から支持される部位であって、前記テープの搬送方向において前記印字ヘッドの挿入位置の上流側において、前記カセットケースの前記ヘッド挿入部を臨む位置に設けられた第１支持受け部と、
前記テープカセットが前記テープ印字装置に装着された場合に、前記テープカセットの前記上面を覆う前記テープ印字装置の蓋部に設けられた押え部材によって上方から押圧される部位であって、前記カセットケースの上下方向において前記第１支持受け部よりも上方、且つ、平面視で前記第１支持受け部と重なる位置に設けられた押え受け部とを備えたことを特徴とするテープカセット。
【請求項２】
前記押え受け部と前記カセットケースに収納される前記テープの上下方向中心位置との距離である第１の距離は、前記テープカセットの上下方向高さにかかわらず一定であることを特徴とする請求項１に記載のテープカセット。
【請求項３】
前記第１支持受け部と前記カセットケースに収納される前記テープの上下方向中心位置との距離である第２の距離は、前記テープカセットの上下方向高さにかかわらず一定であり、
前記第１の距離と前記第２の距離とは等しいことを特徴とする請求項２に記載のテープカセット。
【請求項４】
前記テープカセットが前記テープ印字装置に装着された場合に、前記テープ印字装置の第２カセット支持部によって下方から支持される部位であって、前記テープの搬送方向において前記印字ヘッドの挿入位置の下流側において、前記カセットケースの前記ヘッド挿入部を臨む位置に設けられた第２支持受け部をさらに備えたことを特徴とする請求項１乃至３のいずれかに記載のテープカセット。
【請求項５】
請求項１乃至３のいずれかに記載のテープカセットが着脱可能なカセット装着部と、
前記カセット装着部から前記テープカセットの着脱方向に立設された、印字ヘッドを支持するヘッドホルダと、
前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、
前記テープカセットが前記カセット装着部に装着された場合に、前記テープカセットの前記上面を覆う蓋部と、
前記テープカセットを覆った状態の前記蓋部において、前記テープカセットの前記押え受け部に対応する位置に設けられ、押え受け部を上方から押圧する押え部材とを備えたことを特徴とするテープ印字装置。
【請求項６】
請求項４に記載のテープカセットが着脱可能なカセット装着部と、
前記カセット装着部から前記テープカセットの着脱方向に立設された、印字ヘッドを支持するヘッドホルダと、
前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、
前記ヘッドホルダにおいて前記印字ヘッドよりも前記テープ搬送方向下流側に設けられ、前記テープカセットが前記テープ印字装置に装着された場合に前記テープカセットの前記第２支持受け部を下方から支持する第２カセット支持部と、
前記テープカセットが前記カセット装着部に装着された場合に、前記テープカセットの前記上面を覆う蓋部と、
前記テープカセットを覆った状態の前記蓋部において、前記テープカセットの前記押え受け部に対応する位置に設けられ、押え受け部を上方から押圧する押え部材とを備えたことを特徴とするテープ印字装置。
【請求項７】
請求項１乃至３のいずれかに記載のテープカセットと、
前記テープカセットが着脱可能なカセット装着部と、
前記カセット装着部から前記テープカセットの着脱方向に立設された、印字ヘッドを支持するヘッドホルダと、
前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、
前記テープカセットが前記カセット装着部に装着された場合に、前記テープカセットの前記上面を覆う蓋部と、
前記テープカセットを覆った状態の前記蓋部において、前記テープカセットの前記押え受け部に対応する位置に設けられ、押え受け部を上方から押圧する押え部材とを備えたことを特徴とするテープ印字装置。
【請求項８】
請求項４に記載のテープカセットと、
前記テープカセットが着脱可能なカセット装着部と、
前記カセット装着部から前記テープカセットの着脱方向に立設された、印字ヘッドを支持するヘッドホルダと、
前記ヘッドホルダにおいて前記印字ヘッドよりも前記テープ搬送方向上流側に設けられ、前記テープカセットが前記テープ印字装置に装着された場合に前記テープカセットの前記第１支持受け部を支持する第１カセット支持部と、
前記ヘッドホルダにおいて前記印字ヘッドよりも前記テープ搬送方向下流側に設けられ、前記テープカセットが前記テープ印字装置に装着された場合に前記テープカセットの前記第２支持受け部を下方から支持する第２カセット支持部と、
前記テープカセットが前記カセット装着部に装着された場合に、前記テープカセットの前記上面を覆う蓋部と、
前記テープカセットを覆った状態の前記蓋部において、前記テープカセットの前記押え受け部に対応する位置に設けられ、押え受け部を上方から押圧する押え部材とを備えたことを特徴とするテープ印字装置。
【発明の詳細な説明】
【技術分野】
【０００１】
本発明は、テープ印字装置に着脱自在なテープカセット、およびテープカセットを着脱自在に構成され、テープカセットに収納されたテープに印字を行うテープ印字装置に関する。
【背景技術】
【０００２】
従来、テープ印字装置に着脱自在に構成され、印字媒体であるラベルテープおよびインクリボンが収納された箱状のテープカセットが知られている（例えば、特許文献１）。テープ印字装置は、カセット装填部に装着されたテープカセットから引き出されるラベルテープに、印字ヘッドによって所望の情報を印字する。
【０００３】
特許文献１に記載のテープ印字装置のカセット装填部にテープカセットが装着される場合、テープカセットの底面に設けられた凹部を、上方に開口するカセット装填部に設けられた位置決めピンに合わせることにより、上下方向の位置決めが行われる。テープ印字装置は開閉可能な蓋を備えており、蓋には、テープカセットがカセット装填部に装着され、蓋が閉じられた場合に、テープカセットを挟んで位置決めピンに対向する位置に、カセット押え用の板バネが設けられている。
【先行技術文献】
【特許文献】
【０００４】
【特許文献１】特開平７−９７４３号公報
【発明の概要】
【発明が解決しようとする課題】
【０００５】
特許文献１に開示されているテープカセットでは、凹部は、ラベルテープをテープカセットから排出するテープ排出口近傍に、底面の外周に隣接して設けられている。つまり、凹部はラベルテープに印字を行う印字ヘッドとは離れた位置にある。したがって、テープカセット装着時の上下方向の位置決めや、装着後のテープカセットの上方向の移動（所謂、浮き）の規制は、印字ヘッドとは離れた位置で行われることになる。その結果、印字ヘッドによる上下方向の印字中心位置と印字媒体であるラベルテープのテープ幅方向中心位置とがずれてしまい、良好な印字結果が得られない可能性がある。
【０００６】
本発明は、上記課題を解決するためになされたものであり、印字ヘッドによる上下方向の印字中心位置と印字媒体であるテープのテープ幅方向中心位置との適切な位置関係を維持することができるテープカセット、およびテープ印字装置を提供することを目的とする。
【課題を解決するための手段】
【０００７】
上記目的を達成するために、請求項１に係る発明のテープカセットは、印字ヘッドを備えたテープ印字装置に着脱可能なテープカセットであって、上面、底面、前面、および一対の側面を備えたカセットケースと、前記カセットケース内に回転自在に収納された、印字媒体であるテープが巻回されたテープロールと、前記テープカセットが前記テープ印字装置に装着された場合に、前記印字ヘッドを支持するヘッドホルダが挿入される空間であって、前記カセットケースを上下方向に貫通し、前記前面に沿って延びるヘッド挿入部と、前記テープカセットが前記テープ印字装置に装着された場合に、前記テープ印字装置の第１カセット支持部によって下方から支持される部位であって、前記テープの搬送方向において前記印字ヘッドの挿入位置の上流側において、前記カセットケースの前記ヘッド挿入部を臨む位置に設けられた第１支持受け部と、前記テープカセットが前記テープ印字装置に装着された場合に、前記テープカセットの前記上面を覆う前記テープ印字装置の蓋部に設けられた押え部材によって上方から押圧される部位であって、前記カセットケースの上下方向において前記第１支持受け部よりも上方、且つ、平面視で前記第１支持受け部と重なる位置に設けられた押え受け部とを備えている。
【０００８】
請求項２に係る発明のテープカセットは、請求項１に記載の発明の構成に加え、前記押え受け部と前記カセットケースに収納される前記テープの上下方向中心位置との距離である第１の距離は、前記テープカセットの上下方向高さにかかわらず一定であることを特徴とする。
【０００９】
請求項３に係る発明のテープカセットは、請求項２に記載の発明の構成に加え、前記第１支持受け部と前記カセットケースに収納される前記テープの上下方向中心位置との距離である第２の距離は、前記テープカセットの上下方向高さにかかわらず一定であり、前記第１の距離と前記第２の距離とは等しいことを特徴とする。
【００１０】
請求項４に係る発明のテープカセットは、請求項１乃至３のいずれかに記載の発明の構成に加え、前記テープカセットが前記テープ印字装置に装着された場合に、前記テープ印字装置の第２カセット支持部によって下方から支持される部位であって、前記テープの搬送方向において前記印字ヘッドの挿入位置の下流側において、前記カセットケースの前記ヘッド挿入部を臨む位置に設けられた第２支持受け部をさらに備えている。
【００１１】
請求項５に係る発明のテープ印字装置は、請求項１乃至３のいずれかに記載のテープカセットが着脱可能なカセット装着部と、前記カセット装着部から前記テープカセットの着脱方向に立設された、印字ヘッドを支持するヘッドホルダと、前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、前記テープカセットが前記カセット装着部に装着された場合に、前記テープカセットの前記上面を覆う蓋部と、前記テープカセットを覆った状態の前記蓋部において、前記テープカセットの前記押え受け部に対応する位置に設けられ、押え受け部を上方から押圧する押え部材とを備えている。
【００１２】
請求項６に係る発明のテープ印字装置は、請求項４に記載のテープカセットが着脱可能なカセット装着部と、前記カセット装着部から前記テープカセットの着脱方向に立設された、印字ヘッドを支持するヘッドホルダと、前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、前記ヘッドホルダにおいて前記印字ヘッドよりも前記テープ搬送方向下流側に設けられ、前記テープカセットが前記テープ印字装置に装着された場合に前記テープカセットの前記第２支持受け部を下方から支持する第２カセット支持部と、前記テープカセットが前記カセット装着部に装着された場合に、前記テープカセットの前記上面を覆う蓋部と、前記テープカセットを覆った状態の前記蓋部において、前記テープカセットの前記押え受け部に対応する位置に設けられ、押え受け部を上方から押圧する押え部材とを備えている。
【００１３】
請求項７に係る発明のテープ印字装置は、請求項１乃至３のいずれかに記載のテープカセットと、前記テープカセットが着脱可能なカセット装着部と、前記カセット装着部から前記テープカセットの着脱方向に立設された、印字ヘッドを支持するヘッドホルダと、前記ヘッドホルダにおいて前記印字ヘッドよりも前記テープ搬送方向上流側に設けられ、前記テープカセットが前記テープ印字装置に装着された場合に前記テープカセットの前記第１支持受け部を下方から支持する第１カセット支持部と、前記テープカセットが前記カセット装着部に装着された場合に、前記テープカセットの前記上面を覆う蓋部と、前記テープカセットを覆った状態の前記蓋部において、前記テープカセットの前記押え受け部に対応する位置に設けられ、押え受け部を上方から押圧する押え部材とを備えている。
【００１４】
請求項８に係る発明のテープ印字装置は、請求項４に記載のテープカセットと、前記テープカセットが着脱可能なカセット装着部と、前記カセット装着部から前記テープカセットの着脱方向に立設された、印字ヘッドを支持するヘッドホルダと、前記ヘッドホルダにおいて前記印字ヘッドよりも前記テープ搬送方向上流側に設けられ、前記テープカセットが前記テープ印字装置に装着された場合に前記テープカセットの前記第１支持受け部を支持する第１カセット支持部と、前記ヘッドホルダにおいて前記印字ヘッドよりも前記テープ搬送方向下流側に設けられ、前記テープカセットが前記テープ印字装置に装着された場合に前記テープカセットの前記第２支持受け部を下方から支持する第２カセット支持部と、前記テープカセットが前記カセット装着部に装着された場合に、前記テープカセットの前記上面を覆う蓋部と、前記テープカセットを覆った状態の前記蓋部において、前記テープカセットの前記押え受け部に対応する位置に設けられ、押え受け部を上方から押圧する押え部材とを備えている。
【発明の効果】
【００１５】
請求項１に係る発明のテープカセットは、テープ印字装置に装着された場合に、テープの搬送方向において印字ヘッドの挿入位置の上流側において、ヘッド挿入部を臨む位置に設けられた第１支持受け部と、テープ印字装置の蓋部に設けられた押え部材によって上方から押圧される部位であって、カセットケースの上下方向において第１支持受け部よりも上方、且つ、平面視で第１支持受け部と重なる位置に設けられた押え受け部とを備えている。よって、テープカセットは、印字ヘッドと近接した位置において、テープ印字装置の第１カセット支持部によって下方から支持されるとともに、押え部材によって上方から押圧され、テープカセット装着時の上下方向の位置決め、および装着後のテープカセットの上方向の移動（所謂、浮き）の規制が行われる。したがって、印字ヘッドによる上下方向の印字中心位置と印字媒体であるテープのテープ幅方向中心位置との適切な位置関係を維持することができる。
【００１６】
請求項２に係る発明のテープカセットでは、押え受け部とカセットケースに収納されるテープの上下方向中心位置との距離（第１の距離）は、テープカセットの上下方向高さにかかわらず一定である。つまり、上下方向高さの異なる複数のテープカセットがある場合でも、その高さにかかわらず、押え部材によってテープカセットが押圧される位置を特定することができる。したがって、請求項１に記載の発明の効果に加え、同一のテープ印字装置において高さの異なる複数種類のテープカセットの使用を実現することができる。
【００１７】
請求項３に係る発明のテープカセットでは、第１支持受け部とカセットケースに収納されるテープの上下方向中心位置との距離（第２の距離）は、テープカセットの上下方向高さにかかわらず一定であり、第１の距離と第２の距離とは等しい。つまり、上下方向高さの異なる複数のテープカセットがある場合でも、その高さにかかわらず、第１カセット支持部によってテープカセットが支持される位置を特定することができる。したがって、請求項２に記載の発明の効果に加え、同一のテープ印字装置において高さの異なる複数種類のテープカセットの使用を実現することができるとともに、下方からの支持と上方からの押圧のバランスがよいため、印字ヘッドによる上下方向の印字中心位置と印字媒体であるテープのテープ幅方向中心位置との適切な位置関係を安定して維持することができる。
【００１８】
請求項４に係る発明のテープカセットは、テープの搬送方向において印字ヘッドの挿入位置の下流側において、ヘッド挿入部を臨む位置に設けられた第２支持受け部をさらに備えている。つまり、テープカセットは、テープ搬送方向においてテープに印字を行う印字ヘッドの上流側と下流側の２箇所で下方から支持される。したがって、請求項１乃至３のいずれかに記載の発明の効果に加え、テープカセット装着時の上下方向の位置決めをさらに正確に行うことができ、印字ヘッドによる上下方向の印字中心位置と印字テープのテープ幅方向中心位置をより精度よく維持することができる。
【００１９】
請求項５に係る発明のテープ印字装置は、請求項１乃至３のいずれかに記載のテープカセットがカセット装着部に装着された場合、テープカセットの第１支持受け部を、印字ヘッドの上流側において下方から支持する第１カセット支持部によって、テープカセットの上下方向の位置決めを正確に実現することができる。加えて、テープカセットの第１支持受け部の上方に位置する押え受け部を上方から押圧する押え部材によって、装着後のテープカセットの上方向の移動を規制することができる。したがって、印字ヘッドによる上下方向の印字中心位置と印字テープのテープ幅方向中心位置を精度よく維持することができる。
【００２０】
請求項６に係る発明のテープ印字装置は、請求項４に記載のテープカセットがカセット装着部に装着された場合、テープカセットの第１および第２支持受け部を、印字ヘッドの上流側および下流側において下方からそれぞれ支持する第１および第２カセット支持部によって、テープカセットの上下方向の位置決めを特に正確に実現することができる。加えて、テープカセットの第１支持受け部の上方に位置する押え受け部を上方から押圧する押え部材によって、装着後のテープカセットの上方向の移動を規制することができる。したがって、印字ヘッドによる上下方向の印字中心位置と印字テープのテープ幅方向中心位置を精度よく維持することができる。
【００２１】
請求項７に係る発明のテープ印字装置は、請求項１乃至３のいずれかに記載のテープカセットがカセット装着部に装着された場合、テープカセットの第１支持受け部を、印字ヘッドの上流側において下方から支持する第１カセット支持部によって、テープカセットの上下方向の位置決めを正確に実現することができる。加えて、テープカセットの第１支持受け部の上方に位置する押え受け部を上方から押圧する押え部材によって、装着後のテープカセットの上方向の移動を規制することができる。したがって、印字ヘッドによる上下方向の印字中心位置と印字テープのテープ幅方向中心位置を精度よく維持することができる。
【００２２】
請求項８に係る発明のテープ印字装置は、請求項４に記載のテープカセットがカセット装着部に装着された場合、テープカセットの第１および第２支持受け部を、印字ヘッドの上流側および下流側において下方からそれぞれ支持する第１および第２カセット支持部によって、テープカセットの上下方向の位置決めを特に正確に実現することができる。加えて、テープカセットの第１支持受け部の上方に位置する押え受け部を上方から押圧する押え部材によって、装着後のテープカセットの上方向の移動を規制することができる。したがって、印字ヘッドによる上下方向の印字中心位置と印字テープのテープ幅方向中心位置を精度よく維持することができる。
【図面の簡単な説明】
【００２３】
【図１】カセットカバー６が閉じられた状態にあるテープ印字装置１の上方からの斜視図である。
【図２】カセットカバー６が開けられた状態にあるテープ印字装置１の上方からの斜視図である。
【図３】一部の構成要素を省略して図示したカセットカバー６の下方からの斜視図である。
【図４】第１の実施形態における、テープカセット３０およびカセット装着部８を説明するための斜視図である。
【図５】プラテンホルダ１２が待機位置にある場合の、ラミネートタイプのテープカセット３０が装着されたカセット装着部８の平面図である。
【図６】プラテンホルダ１２が印字位置にある場合の、ラミネートタイプのテープカセット３０が装着されたカセット装着部８の平面図である。
【図７】プラテンホルダ１２が印字位置にある場合の、レセプタタイプのテープカセット３０が装着されたカセット装着部８の平面図である。
【図８】プラテンホルダ１２が印字位置にある場合の、サーマルタイプのテープカセット３０が装着されたカセット装着部８の平面図である。
【図９】ヘッドホルダ７４の平面図である。
【図１０】ヘッドホルダ７４の正面図である。
【図１１】ヘッドホルダ７４の左側面図である。
【図１２】アーム検出部２００が設けられたカセット対向面１２ｂの部分拡大図である。
【図１３】図１２のＩＩ−ＩＩ線における矢視方向断面図である。
【図１４】図５のＩ−Ｉ線における矢視方向断面図を反時計周りに９０度回転した図である。
【図１５】テープ印字装置１の電気的構成を示すブロック図である。
【図１６】テープカセット３０の平面図である。
【図１７】テープカセット３０の底面３０ｂ側からの斜視図である。
【図１８】図１６のＩＩＩ−ＩＩＩ線における矢視方向断面図である。
【図１９】幅広カセット３０のアーム前面３５の部分拡大図である。
【図２０】幅狭カセット３０のアーム部３４の拡大斜視図である。
【図２１】幅狭カセット３０のアーム前面３５の部分拡大図である。
【図２２】テープ印字装置１に装着された幅広カセット３０を正面側から見た説明図である。
【図２３】テープ印字装置１に装着された幅広カセット３０を左側面側から見た説明図である。
【図２４】テープ印字装置１に装着された幅狭カセット３０を正面側から見た説明図である。
【図２５】テープ印字装置１に装着された幅狭カセット３０を左側面側から見た説明図である。
【図２６】図１９に示すテープカセット３０にプラテンホルダ１２が対向した場合の、図１９のＩＶ−ＩＶ線における矢視方向断面図である。
【図２７】第２の実施形態における、テープカセット３０およびカセット装着部８を説明するための斜視図である。
【図２８】第２の実施形態における、テープカセット３０が装着されたカセット装着部８の平面図である。
【図２９】第２の実施形態のテープカセット３０を底面３０ｂ側から見た斜視図である。
【図３０】第２の実施形態における、テープ印字装置１に装着されたテープカセット３０を正面側から見た説明図である。
【図３１】カセットカバー６が閉じられた状態にある変形例のテープ印字装置１の上方からの斜視図である。
【図３２】テープカセット３０が装着され、カセットカバー６が開けられた状態にある変形例のテープ印字装置１の上方からの斜視図である。
【発明を実施するための形態】
【００２４】
以下、本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００２５】
<第１の実施形態>
第１の実施形態に係るテープ印字装置１およびテープカセット３０について、図１〜図２６を参照して以下に後述する。本実施形態の説明では、図１および図２の左下側をテープ印字装置１の前側とし、図１および図２の右上側をテープ印字装置１の後側とし、図１および図２の右下側をテープ印字装置１の右側とし、図１および図２の左上側をテープ印字装置１の左側とする。また、図４の右下側をテープカセット３０の前側とし、図４の左上側をテープカセット３０の後側とし、図４の右上側をテープカセット３０の右側とし、図４の左下側をテープカセット３０の左側とする。
【００２６】
なお、以下の説明で使用される図４等において、カセット装着部８の周囲を形成する壁が図示されている場合、これらの図はあくまでも模式図であるため、図中に示す壁は、実際よりも厚く描かれている。また、図４等のテープカセット３０とカセット装着部８とを示す斜視図に図示されているギヤ９１、９３、９４、９７、９８、１０１を含むギヤ群は、実際には、キャビティ８ａの底面により覆い隠されているが、これらのギヤ群を説明する必要上、これらの図には、キャビティ８ａの底面は図示されていない。また、図５〜図８等において、カセット装着部８に装着された状態で図示されているテープカセット３０は、上ケース３１ａが取り外された状態のものである。さらに、図１７等、テープカセット３０の底面３０ｂ側から見た斜視図については、説明の便宜上、テープ駆動ローラ４６等の図示は省略されている。これらの点については、他の実施形態の説明に使用される図も同様である。
【００２７】
はじめに、第１の実施形態に係るテープ印字装置１の概略構成について説明する。テープ印字装置１は１台で感熱紙テープのみが収納されたサーマルタイプ、印字テープとインクリボンとが収納されたレセプタタイプ、両面粘着テープとフィルムテープとインクリボンとが収納されたラミネートタイプ、両面粘着テープと感熱紙テープとが収納された感熱ラミネートタイプ等、各種のテープカセットに対応させることが可能な汎用のテープ印字装置である。
【００２８】
図１に示すように、テープ印字装置１は、略直方体形状の本体カバー２を備えている。本体カバー２上面の前側には、文字、記号及び数字等の文字キーや、種々の機能キー等を含むキーボード３が配設されている。キーボード３の後側には、入力した文字や記号を表示可能なディスプレイ５が設けられている。ディスプレイ５の後側には、テープカセット３０（図４参照）の交換時に開閉されるカセットカバー６が設けられている。
【００２９】
カセットカバー６は、平面視略長方形状の蓋部である。カセットカバー６は、本体カバー２の背面上方の左右両端部において、図２に示す、本体カバー２の内部に形成されたカセット装着部８が露出する開放位置と、図１に示す、カセット装着部８を覆う閉鎖位置との間で回動可能に軸支されている。カセット装着部８は、テープカセット３０を着脱自在な領域として形成されている。カセット装着部８には、テープカセット３０からテープを引き出して搬送する搬送機構や、テープの表面に文字等を印字する印字機構等が設けられているが、詳細は後述する。
【００３０】
図２に示すように、カセットカバー６の前面略中央には、その下面から下方に突出する鉤状の係止ロック４ａが設けられている。本体カバー２には、係止ロック４ａに対応する位置にロック孔４ｂが設けられており、図１に示すようにカセットカバー６が閉じられると、係止ロック４ａがロック孔４ｂに嵌め込まれて係止されることで、カセットカバー６の自然開放が防止される。また、カセットカバー６の下面には、さらに、下面から下方へ突出するヘッド押え部材７と、周縁押え部材９ａ〜９ｃとが設けられている。
【００３１】
図３に示すように、ヘッド押え部材７は、下面から突出する角柱状の部材である。ヘッド押え部材７は、テープカセット３０がカセット装着部８に装着され、カセットカバー６が閉じられた場合に、テープカセット３０の上ケース３１ａに設けられた押え受け部３９ｃ（図１６参照）に上方から当接し、押圧する部材である。押さえ受け部３９ｃについては、後で詳述する。また、周縁押え部材９ａ〜９ｃは、それぞれ、テープカセット３０がカセット装着部８に装着され、カセットカバー６が閉じられた場合に、テープカセット３０の周縁、より詳細には角部３２ａの上面の３箇所に上方から当接し、押圧する部材である。なお、図３では、係止ロック４、周縁押え部材９ａ〜９ｃ等の、ヘッド押え部材７以外の図示は省略されている。
【００３２】
また、本体カバー２の左側面後方には、印字済みのテープを外部に排出するための排出スリット１１ａが設けられており、カセットカバー６の左側面には、カセットカバー６を閉じた状態で排出スリット１１ａを外部に露出させる排出窓１１ｂが形成されている。
【００３３】
次に、図４〜図１４を参照して、カセットカバー６に対応する本体カバー２の内部構造について説明する。図４に示すように、カセット装着部８は、テープカセット３０が装着された場合に後述するカセットケース３１の底面３０ｂの形状と略対応するように凹設され、平面である底面を有するキャビティ８ａと、キャビティ８ａの外縁から水平に延びる平面部であるカセット支持部８ｂとを有する。
【００３４】
カセット支持部８ｂの２箇所に、２つの位置決めピン１０２、１０３が設けられている。より具体的には、キャビティ８ａの左側に位置決めピン１０２が、キャビティ８ａの右側に位置決めピン１０３が、それぞれ設けられている。位置決めピン１０２および１０３は、テープカセット３０がカセット装着部８に装着された場合に、テープカセット３０の角部３２ａの下面に形成された２つの凹部であるピン孔６２および６３（図１７参照）がそれぞれ対応する位置に設けられている。各位置決めピン１０２、１０３は、テープカセット３０がカセット装着部８に装着された場合にピン孔６２、６３に挿入され、テープカセット３０の周縁部の左右位置でテープカセット３０を下方から支持する。
【００３５】
図４に示すように、カセット装着部８の前側には、発熱体（図示せず）を備えるサーマルヘッド１０を搭載したヘッドホルダ７４が固設されている。カセット装着部８の外側（図４では右上側）には、ステッピングモータであるテープ送りモータ２３が配設されている。テープ送りモータ２３の駆動軸の下端には駆動ギヤ９１が固着されており、駆動ギヤ９１は開口を介してギヤ９３に噛合され、ギヤ９３はギヤ９４に噛合されている。ギヤ９４の上面には、後述するリボン巻取スプール４４（図５参照）の回転駆動を行うリボン巻取軸９５が立設されている。さらに、ギヤ９４にはギヤ９７が噛合され、ギヤ９７にはギヤ９８が噛合され、ギヤ９８にはギヤ１０１が噛合されている。ギヤ１０１の上面には、後述するテープ駆動ローラ４６の回転駆動を行うテープ駆動軸１００が立設されている。
【００３６】
テープカセット３０がカセット装着部８に装着された状態でテープ送りモータ２３が反時計回り方向に回転駆動されると、駆動ギヤ９１、ギヤ９３、ギヤ９４を介して、リボン巻取軸９５が反時計回り方向に回転駆動される。リボン巻取軸９５は、リボン巻取軸９５が嵌挿されたリボン巻取スプール４４を回転駆動させる。さらに、ギヤ９４の回転は、ギヤ９７、ギヤ９８、ギヤ１０１を介してテープ駆動軸１００に伝達されて、テープ駆動軸１００が時計回り方向に回転駆動される。テープ駆動軸１００は、テープ駆動軸１００が嵌挿されたテープ駆動ローラ４６を回転駆動させる。
【００３７】
図５〜図８に示すように、ヘッドホルダ７４の前側には、アーム状のプラテンホルダ１２が軸支部１２ａを中心に揺動可能に軸支されている。プラテンホルダ１２の先端側には、サーマルヘッド１０に相対して接離可能に設けられたプラテンローラ１５と、テープ駆動軸１００が嵌挿されるテープ駆動ローラ４６に相対して接離可能に設けられた可動搬送ローラ１４とが共に回転可能に軸支されている。
【００３８】
プラテンホルダ１２には、カセットカバー６の開閉に連動して左右方向に移動する図示しないリリースレバーが連結されている。カセットカバー６が開放されると、リリースレバーが右方向に移動して、プラテンホルダ１２が、図５に示す待機位置に向けて移動する。図５に示す待機位置では、プラテンホルダ１２がカセット装着部８から離間する方向に移動するので、テープカセット３０をカセット装着部８に着脱することができる。なお、プラテンホルダ１２は、図示しない巻きバネにより常に待機位置に弾性付勢されている。
【００３９】
一方、カセットカバー６が閉鎖されると、リリースレバーが左方向に移動して、プラテンホルダ１２が、図６〜図８に示す印字位置に向けて移動する。図６〜図８に示す印字位置では、プラテンホルダ１２がカセット装着部８に近接する方向に移動する。そして、図６に示すように、カセット装着部８にラミネートタイプのテープカセット３０が装着されている場合には、プラテンローラ１５がフィルムテープ５９とインクリボン６０とを介してサーマルヘッド１０を押圧するとともに、可動搬送ローラ１４が両面粘着テープ５８とフィルムテープ５９とを介してテープ駆動ローラ４６を押圧する。
【００４０】
同様にして、図７に示すように、レセプタタイプのテープカセット３０が装着されている場合には、プラテンローラ１５が印字テープ５７とインクリボン６０とを介してサーマルヘッド１０を押圧するとともに、可動搬送ローラ１４が印字テープ５７を介してテープ駆動ローラ４６を押圧する。また、図８に示すように、サーマルタイプのテープカセット３０が装着されている場合には、プラテンローラ１５が感熱紙テープ５５を介してサーマルヘッド１０を押圧するとともに、可動搬送ローラ１４が感熱紙テープ５５を介してテープ駆動ローラ４６を押圧する。これにより、図６〜図８に示す印字位置では、カセット装着部８に装着された各種テープカセット３０を使用して印字を行うことが可能となる。なお、感熱紙テープ５５、印字テープ５７、両面粘着テープ５８、フィルムテープ５９およびインクリボン６０の詳細は、後述する。
【００４１】
また、図５に示すように、テープカセット３０のテープ排出口４９からテープ印字装置１の排出スリット１１ａ（図２参照）までの間には、印字済テープ５０が搬送される搬送経路が設けられている。この搬送経路には、印字済テープ５０を所定位置で切断するカット機構１７が設けられている。カット機構１７は、固定刃１８と、固定刃１８に対向して前後方向（図５〜図８に示す上下方向）に移動可能に支持された移動刃１９と、で構成されている。なお、移動刃１９は、カッターモータ２４（図１５参照）によって前後方向に移動される。
【００４２】
ここで、図５および図９〜図１１を参照して、ヘッドホルダ７４の詳細な構成について説明する。図９〜図１１に示すように、ヘッドホルダ７４は、１枚の板状部材から形成されており、キャビティ８ａの底面（図示せず）の下方に固定された台座部７４ｃと、台座部７４ｃから略垂直に屈曲され、上方へ延びるヘッド固着部７４ｄを備えている。ヘッド固着部７４ｄは、図５に示すように、テープ印字装置１の左右方向に沿って配置されている。カセット装着部８におけるヘッドホルダ７４の配置位置は、テープカセット３０が装着された場合に、後述するヘッド挿入部３９に対応する位置である。ただし、ヘッドホルダ７４の右端部は、ヘッド挿入部３９の右端部よりも右側に延びている。サーマルヘッド１０は、ヘッド固着部７４ｄの前面に固着されている（図５参照）。
【００４３】
ヘッド固着部７４ｄには、テープカセット３０がテープ印字装置１に装着された場合にテープカセット３０を下方から支持する上流側支持部７４ａおよび下流側支持部７４ｂ（以下、総称してヘッド支持部７４ａ、７４ｂという）が設けられている。図１０に示すように、上流側支持部７４ａは、ヘッド固着部７４ｄの右端部を正面視でＬ字型に切り欠くことにより所定の高さ位置に形成された段差部である。図９および図１１に示すように、下流側支持部７４ｂは、ヘッド固着部７４ｄの左端部の所定の高さ位置からヘッド固着部７４ｄに対して略垂直に屈曲して延びる側面視長方形状の延設片である。つまり、上流側支持部７４ａと下流側支持部７４ｂとは、平面視で互いに略直交する方向に延びている。上流側支持部７４ａと下流側支持部７４ｂは、それぞれ、サーマルヘッド１０に対してテープ搬送方向上流側と下流側とでテープカセット３０を支持する。なお、ヘッド支持部７４ａ、７４ｂによるテープカセット３０の支持については、後で詳述する。
【００４４】
また、図５〜図８に示すように、プラテンホルダ１２の後側面１２ｂ、つまり、サーマルヘッド１０と対向する側の面には、その長手方向の中間位置からやや右側に、アーム検出部２００が設けられている。以下では、プラテンホルダ１２の後側面１２ｂをカセット対向面１２ｂという。アーム検出部２００は、複数の検出スイッチ２１０を含み、各検出スイッチ２１０のスイッチ端子２２２が、カセット対向面１２ｂからカセット装着部８に向けて略水平に突出している。言い換えると、各検出スイッチ２１０は、カセット装着部８に対するテープカセット３０の着脱方向（図４の上下方向）と略直交する方向に、カセット装着部８内に存在するテープカセット３０の前面（より詳細には、後述するアーム前面３５）と対向するように突出する。
【００４５】
各検出スイッチ２１０は、テープカセット３０がカセット装着部８の適正位置に装着された状態で、後述するアーム識別部８００（図４参照）と相対する高さ位置に設けられている。なお、以下では、アーム検出部２００の検出スイッチ２１０を、アーム検出スイッチ２１０というものとする。
【００４６】
ここで、図１２および図１３を参照して、プラテンホルダ１２におけるアーム検出スイッチ２１０の詳細な配置および構造について説明する。図１２に示すように、プラテンホルダ１２のカセット対向面１２ｂには、５つの貫通孔１２ｃが上下方向に３列に並べて設けられている。より具体的には、最上列に２つ、真ん中の列に２つ、最下列に１つの配置である。そして、貫通孔１２ｃ左右方向の位置は、それぞれ異なっている。具体的には、カセット対向面１２ｂの右側（図１２の左側）から順に、最下列、最上列の右側、真ん中の列の右側、最上列の左側、そして真ん中の列の左側の順に、５つの貫通孔１２ｃがジグザグに配置されている。これらの貫通孔１２ｃに対応して、５つのアーム検出スイッチ２１０が設けられている。
【００４７】
図１３に示すように、アーム検出スイッチ２１０は、プラテンホルダ１２の内部に設置された略円筒状の本体部２２１と、本体部２２１の一端側から軸線方向に進退可能な棒状のスイッチ端子２２２とを備えている。各アーム検出スイッチ２１０の本体部２２１は、その他端側がスイッチ支持板２２０に取り付けられてプラテンホルダ１２の内部に設置されている。また、各本体部２２１の一端側では、プラテンホルダ１２のカセット対向面１２ｂに形成された複数の貫通孔１２ｃを介して、スイッチ端子２２２が進退可能である。各スイッチ端子２２２は、常には本体部２２１の内部に設けられたバネ部材（図示せず）によって、本体部２２１から伸出した状態に保持される。つまり、スイッチ端子２２２は、押圧されていないときは本体部２２１から伸出した状態（オフ状態）とされ、押圧されているときに本体部２２１内に押し込まれた状態（オン状態）となる。
【００４８】
カセット装着部８にテープカセット３０が装着されている場合、プラテンホルダ１２が待機位置に向けて移動すると（図５参照）、各アーム検出スイッチ２１０はテープカセット３０から離間するため、全ての検出スイッチ２１０がオフ状態となる。一方、プラテンホルダ１２が印字位置に向けて移動すると（図６〜図８参照）、アーム検出スイッチ２１０は、テープカセット３０の前面（より詳細には、後述するアーム前面３５）と対向し、後述するアーム識別部８００によってアーム検出スイッチ２１０が選択的に押圧される。このときのアーム検出スイッチ２１０のオン・オフの組合せに基づいて、テープカセット３０の種類が検出される。なお、アーム検出部２００によるテープカセット３０の種類検出については、後で詳述する。
【００４９】
また、図５〜図８に示すように、プラテンホルダ１２のカセット対向面１２ｂには、左右方向に延びる板状の突起部である係止片２２５が設けられている。係止片２２５は、アーム検出スイッチ２１０のスイッチ端子２２２と同様、カセット対向面１２ｂからカセット装着部８に向けて略水平に突出している。つまり、カセット装着部８内に存在するテープカセット３０の前面（より詳細には、後述するアーム前面３５）と対向するように突出している。係止片２２５は、テープカセット３０がカセット装着部８の適正位置に装着された状態で、後述するテープカセット３０のアーム前面３５に設けられた係止孔８２０（図４参照）と相対する高さ位置に設けられている。
【００５０】
ここで、図１２および図１３を参照して、プラテンホルダ１２における係止片２２５の配置および構成について説明する。図１２に示すように、係止片２２５は、プラテンホルダ１２のカセット対向面１２ｂにおいて、上下方向においては最上列のアーム検出スイッチ２１０より上方、左右方向においては最下列のアーム検出スイッチ２１０より右側（図１２の左側）に配置されている。
【００５１】
図１３に示すように、係止片２２５は、プラテンホルダ１２のカセット対向面１２ｂから後方側（図１３では左側）に突出するように、プラテンホルダ１２と一体成型されている。係止片２２５のカセット対向面１２ｂを基準とした突出高さは、各アーム検出スイッチ２１０のスイッチ端子２２２のカセット対向面１２ｂを基準とした突出高さと比較して略同一か、若干大きくなっている。また、係止片２２５には、その先端側（図１３では左側）に向けて厚みが漸減するように、下面の一部が水平方向に対して傾斜した傾斜部２２６が形成されている。
【００５２】
また、図５〜図８に示すように、ヘッドホルダ７４の後ろ側には、カセットフック７５が設けられている。ここで、カセットフック７５について、図１４を参照して説明する。なお、図１４は、図５のＩ−Ｉ線における矢視方向断面図を、わかりやすく表示するために反時計周りに９０度回転したものである。カセットフック７５は、キャビティ８ａの底面（図示せず）から略垂直に上方へ突出する板状の突出部７５ａを備えている。突出部７５ａの上端部は、断面視略三角形状を有し、後方（図１４では左方向）に突出する爪部７５ｂである。突出部７５ａは、テープ印字装置１の前後方向（図１４の左右方向）の可撓性を有している。爪部７５ｂは、後述するテープカセット３０の係止部３８（図１７参照）のキャビティ８ａの底面からの高さに対応して設けられている。テープカセット３０は、カセット装着部８に装着された場合、カセットフック７５により係止される。この点については、後で詳述する。
【００５３】
次に、図１５を参照して、テープ印字装置１の電気的構成について説明する。図１５に示すように、テープ印字装置１は、制御基板上に形成される制御回路部４００を備えている。制御回路部４００は、各機器を制御するＣＰＵ４０１、ＣＰＵ４０１にデータバス４１０を介して接続されたＲＯＭ４０２、ＣＧＲＯＭ４０３、ＲＡＭ４０４、および入出力インターフェース４１１等から構成されている。
【００５４】
ＲＯＭ４０２には、キーボード３から入力された文字や数字等のキャラクタのコードデータに対応させて液晶駆動回路（ＬＣＤＣ）４０５を制御する表示駆動制御プログラム、サーマルヘッド１０やテープ送りモータ２３を駆動する印字駆動制御プログラム、各印字ドットの形成エネルギー量に対応する印加パルス数を決定するパルス数決定プログラム、カッターモータ２４を駆動して印字済テープ５０を所定の切断位置で切断する切断駆動制御プログラム、その他のテープ印字装置１の制御上必要な各種のプログラム等が各々記憶されている。つまり、ＣＰＵ４０１は、これら各種プログラムに基づいて各種演算を行う。
【００５５】
ＣＧＲＯＭ４０３には、アルファベット文字や記号等の多数のキャラクタの各々に関して、キャラクタを印字するための印字用ドットパターンデータが、書体（ゴシック系書体、明朝体書体等）毎に分類され、各書体毎に６種類（例えば、１６、２４、３２、４８、６４、９６のドットサイズ）の印字文字サイズ分、コードデータに対応させて記憶されている。
【００５６】
ＲＡＭ４０４には、テキストメモリ、印字バッファ等、複数の記憶エリアが設けられている。テキストメモリには、キーボード３から入力された文書データが格納される。印字バッファには、複数の文字や記号等の印字用ドットパターンや各ドットの形成エネルギー量である印加パルス数等がドットパターンデータとして格納される。つまり、サーマルヘッド１０はこの印字バッファに記憶されているドットパターンデータに従ってドット印字を行う。その他記憶エリアには、各種演算データ等が記憶される。
【００５７】
入出力インターフェース４１１には、アーム検出スイッチ２１０、キーボード３、液晶ディスプレイ（ＬＣＤ）５に表示データを出力するためのビデオＲＡＭ（図示外）を有する液晶駆動回路（ＬＣＤＣ）４０５、サーマルヘッド１０を駆動するための駆動回路４０６、テープ送りモータ２３を駆動するための駆動回路４０７、カッターモータ２４を駆動するための駆動回路４０８等が各々接続されている。
【００５８】
次に、図４〜図８、図１４、図１６〜２１を参照して、第１の実施形態に係るテープカセット３０の構成について説明する。以下では、その内部に収納されるテープの種類、および、インクリボンの有無などを適宜変更することによって、先述のサーマルタイプ、レセプタタイプ、ラミネートタイプ等、各種のテープ種類を実装可能な汎用カセットとして構成されたテープカセット３０を例示する。
【００５９】
図４に示すように、テープカセット３０は、全体としては平面視で丸みを帯びた角部を有する略直方体状（箱型）の筐体であるカセットケース３１を有している。カセットケース３１は、カセットケース３１の底面３０ｂを含む下ケース３１ｂと、カセットケース３１の上面３０ａを含み、下ケース３１ｂの上部に固定される上ケース３１ａとで構成される。以下では、底面３０ｂから上面３０ａまでの距離を、テープカセット３０またはカセットケース３１の高さという。
【００６０】
なお、カセットケース３１は、上面３０ａおよび底面３０ｂの周縁部全体が側面によって囲われている必要はなく、側面の一部（例えば背面）にカセットケース３１内を露出させるような開口部が設けられていたり、その開口部を臨む位置に上面３０ａおよび底面３０ｂを接続するボスが設けられたりしてもよい。
【００６１】
カセットケース３１は、テープカセット３０の種類にかかわらず、同一の幅（上下方向の長さが同一）に形成された角部３２ａを有する。角部３２ａは、平面視で直角をなすように外側方向に突出している。ただし、平面視で左下の角部３２ａは、テープ排出口４９が角に設けられているために、直角はなしていない。角部３２ａの下面は、テープカセット３０がカセット装着部８に装着されたときに、カセット装着部８内において前述したカセット支持部８ｂに対向する部位である。カセットケース３１の上下（高さ）方向において角部３２ａと同一の位置、且つ、同一の幅でカセットケース３１の側面を全周に亘って取り巻く部位（角部３２ａを含む）を、共通部３２という。より詳細には、共通部３２は、カセットケース３１の上下（高さ）方向における中心線に関して、上下方向に対称に形成された部位である（図１９、図２１参照）。テープカセット３０の高さは、収納するフィルムテープ５９や両面粘着テープ５８（つまり、印字済テープ５０）のテープ幅に応じて異なっている。しかし、共通部３２の幅（上下方向の長さ）Ｔは、印字済テープ５０のテープ幅にかかわらず、同一寸法に設定されている。
【００６２】
例えば、共通部３２の幅Ｔが１２ｍｍである場合、印字済テープ５０のテープ幅が大きくなると（例えば、１８ｍｍ、２４ｍｍ、３６ｍｍ）、それに応じてカセットケース３１の高さも大きくなるが、共通部３２の幅Ｔ（図１９参照）は１２ｍｍで一定である。なお、印字済テープ５０のテープ幅が共通部３２の幅Ｔ以下である場合は（例えば、６ｍｍ、１２ｍｍ）、カセットケース３１の高さ（幅）は、共通部３２の幅（１２ｍｍ）＋所定幅である。この場合、カセットケース３１の高さは最も小さくなる。
【００６３】
図４に示すように、上ケース３１ａおよび下ケース３１ｂには、それぞれ、後述する第１テープスプール４０、第２テープスプール４１およびリボン巻取スプール４４（図５〜図８参照）を回転可能に支持する支持孔６５ａ、６６ａ、６７ａ、および支持孔６５ｂ、６６ｂ、６７ｂ（図１７参照）が設けられている。図５および図６に示すラミネートタイプのテープカセット３０では、カセットケース３１内には、第１テープスプール４０に巻回された両面粘着テープ５８、第２テープスプール４１に巻回された透明なフィルムテープ５９、およびリボンスプール４２に巻回されたインクリボン６０の３種類のテープロールが収納されている。両面粘着テープ５８は一面に剥離紙が貼着された両面テープであり、印字済みのフィルムテープ５９の印字面側に貼り合わされる。
【００６４】
両面粘着テープ５８の剥離紙を外側に向けて巻回した第１テープスプール４０は、支持孔６５ａおよび６５ｂを介して回転可能に配置されている。フィルムテープ５９が巻回された第２テープスプール４１は、支持孔６６ａおよび６６ｂを介して回転可能に配置されている。さらに、リボンスプール４２に巻回されたインクリボン６０は、カセットケース３１内に回転可能に配置されている。
【００６５】
カセットケース３１内における第１テープスプール４０とリボンスプール４２との間には、リボンスプール４２からインクリボン６０を引き出すとともに、文字等の印字にて使用されたインクリボン６０を巻き取るリボン巻取スプール４４が、支持孔６７ａおよび６７ｂを介して回転可能に配置されている。なお、リボン巻取スプール４４の下部には、リボン巻取スプール４４が逆転することで巻き取ったインクリボン６０が緩んでしまうのを防止するためのクラッチバネ（図示せず）が取り付けられている。
【００６６】
図７に示すレセプタタイプのテープカセット３０では、第１テープスプール４０に巻回された印字テープ５７およびリボンスプール４２に巻回されたインクリボン６０の２種類のテープロールが、カセットケース３１内に収納されている。なお、このレセプタタイプのテープカセット３０は、第２テープスプール４１を備えていない。
【００６７】
図８に示すサーマルタイプのテープカセット３０では、第１テープスプール４０に巻回された感熱紙テープ５５の１種類のテープロールが、カセットケース３１内に収納されている。なお、このサーマルタイプのテープカセット３０は、第２テープスプール４１およびリボンスプール４２を備えていない。
【００６８】
図４に示すように、カセットケース３１の前面には、平面視で略半円状をなす溝部である半円溝３４ｉが、カセットケース３１の高さ方向（つまり、上面３０ａから底面３０ｂ）に亘って設けられている。半円溝３４ｉは、テープカセット３０がカセット装着部８に装着されたときに、プラテンホルダ１２の回転中心である軸支部１２ａがカセットケース３１と干渉しないように設けられた逃がし部である。カセットケース３１の前面のうち、半円溝３４ｉから左に延びる部分を、アーム前面３５という。アーム前面３５と、アーム前面３５から後方へ離間した位置に高さ方向に亘って設けられたアーム背面３７とで規定される、テープカセット３０右側から左方に延びる部位をアーム部３４という。
【００６９】
図５および図６に示すラミネートタイプのテープカセット３０では、アーム部３４内には、第２テープスプール４１から引き出されたフィルムテープ５９と、リボンスプール４２から引き出されたインクリボン６０とが共に案内されている。アーム前面３５の先端部は後方へ向かって屈曲しており、アーム前面３５とアーム背面３７の先端により、開口３４ａが形成されている。開口３４ａで重合された状態となったフィルムテープ５９とインクリボン６０とは、後述する開口部７７に向けて排出される。
【００７０】
図５〜図８に示すように、アーム背面３７と、アーム背面３７から連続して設けられた周壁面とにより囲まれた、テープカセット３０を上下方向に貫通する平面視略長方形状の空間は、ヘッド挿入部３９である。ヘッド挿入部３９は、カセットケース３１の前方に設けられている。ヘッド挿入部３９は、テープカセット３０の前面に設けられた開口部７７によってテープカセット３０の前面でも外部とつながっている。ヘッド挿入部３９には、テープ印字装置１のサーマルヘッド１０を支持するヘッドホルダ７４が挿入され、アーム部３４の開口３４ａから排出されたフィルムテープ５９には、開口部７７において、サーマルヘッド１０による印字が行われる。
【００７１】
カセットケース３１のヘッド挿入部３９を臨む位置には、テープカセット３０がテープ印字装置１に装着される際の上下方向の位置決めに使用される支持受け部が設けられている。本実施形態では、印字媒体であるテープ（感熱紙テープ５５、印字テープ５７、フィルムテープ５９のいずれか）の搬送方向においてサーマルヘッド１０の挿入位置（より詳細には印字位置）の上流側には上流側受け部３９ａが設けられ、下流側には下流側受け部３９ｂ（以下、総称してヘッド受け部３９ａ、３９ｂという）が設けられている。ヘッド受け部３９ａ、３９ｂは、テープカセット３０がカセット装着部８に装着された場合、それぞれ、ヘッドホルダ７４に設けられたヘッド支持部７４ａ、７４ｂに当接し、ヘッド支持部７４ａ、７４ｂによって下方から支持される部位である。
【００７２】
ここで、図１７を参照して、ヘッド受け部３９ａ、３９ｂの構成について詳述する。図１７に示すように、ヘッド受け部３９ａ、３９ｂは、いずれも下ケース３１ｂの底面３０ｂに形成された凹部である。そして、上流側受け部３９ａは、底面視でアーム前面３５に沿った方向にヘッド挿入部３９から凹んだ略長方形状を有し、下流側受け部３９ｂは、底面視でアーム前面３５とは直交する方向にヘッド挿入部３９から凹んだ略長方形状を有している。つまり、上流側受け部３９ａと下流側受け部３９ｂとは、互いに直交する方向からヘッド挿入部３９を臨む凹部である。
【００７３】
また、図１７に示すように、下ケース３１ｂにおいてヘッド挿入部３９を臨む位置であって、且つ、ヘッド挿入部３９の長手方向において、上流側受け部３９ａと下流側受け部３９ｂの間には、底面視略長方形状の凹部である係止部３８が設けられている。より詳細には、係止部３８は、ヘッド挿入部３９の長手方向のほぼ中心位置において、アーム背面３７に対向する周壁部に設けられている。図１４に示すように、係止部３８の後壁部３８ａは、テープ印字装置１のカセットフック７５の爪部７５ｂの最も突出した位置に当接する位置の直下まで立設されている。よって、テープカセット３０がカセット装着部８に装着された場合、カセットフック７５が後壁部３８ａの上部に係止する。
【００７４】
さらに、図１７に示すように、角部３２ａ（図４参照）の下面の２箇所に、前述したテープ印字装置１の位置決めピン１０２、１０３に対応するピン孔６２、６３が設けられている。具体的には、カセットケース３１の左前部（図１７では右下側）に設けられた後述する支持孔６４の後方（図１７では上方）において、角部３２ａの下面に設けられた凹部が、位置決めピン１０２が挿入されるピン孔６２である。また、カセットケース３１の右端部（図１７では左側）の前後方向中央部近傍において、角部３２ａの下面に設けられた凹部が、位置決めピン１０３が挿入されるピン孔６３である。なお、テープカセット３０の上下方向（高さ方向）におけるピン孔６２、６３の位置と、カセットケース３１に収納される印刷媒体であるフィルムテープ５９の上下方向中心位置との距離は、テープカセット３０の種類にかかわらず、つまりテープカセット３０の上下方向の高さが異なっていても一定である。
【００７５】
一方、カセットケース３１の上下方向において、上流側受け部３９ａよりも上方、且つ、平面視で上流側受け部３９ａと重なる位置には、押え受け部３９ｃ（図１６参照）が設けられている。押え受け部３９ｃは、テープカセット３０がカセット装着部８に装着され、テープ印字装置１のカセットカバー６が閉じられた場合に、ヘッド押え部材７によって上方から押圧される部位である。
【００７６】
図１６および図１８を参照して、押え受け部３９ｃの構成について詳述する。本実施形態では、図１６に示すように、上ケース３１ａにおいて、テープの搬送方向においてサーマルヘッド１０の挿入位置（より詳細には印字位置）の上流側のヘッド挿入部３９を臨む位置に、押え受け部３９ｃが設けられている。押え受け部３９ｃは、上ケース３１ａの上面３０ａに形成された凹部である。そして、押え受け部３９ｃは、平面視でアーム前面３５に沿った方向にヘッド挿入部３９から凹んだ略長方形状を有する。この形状は、前述した下ケース３１ｂの上流側受け部３９ａの形状と略同一である。
【００７７】
図１８に示すように、押え受け部３９ｃの直下には、下ケース３１ｂに設けられた上流側受け部３９ａが位置する。また、押え受け部３９ｃの後方には、傾斜部３９ｄが設けられている。傾斜部３９ｄは、押え受け部３９ｃの後端部から上後方に向かって傾斜した、押え受け部３９ｃの後端部から上面３０ａに亘る壁面である。
【００７８】
テープカセット３０の上下方向（高さ方向）における押え受け部３９ｃ（より詳細には、凹部の底面）の位置と、カセットケース３１に収納される印刷媒体であるフィルムテープ５９の上下方向中心位置（より詳細には、カセットケース３１の上下方向中心線Ｎ）との距離Ｈ１は、テープカセット３０の種類にかかわらず、つまりテープカセット３０の上下方向の高さが異なっていても一定である。よって、収納されるテープの幅がより広いテープカセット３０ほど、上面３０ａに設けられた凹部である押え受け部３９ｃの深さは大きくなる。
【００７９】
また、テープカセット３０の上下方向（高さ方向）におけるヘッド受け部３９ａ、３９ｂ（より詳細には、凹部の底面）の位置と、カセットケース３１の上下方向中心線Ｎとの距離Ｈ２も、テープカセット３０の種類にかかわらず、つまりテープカセット３０の上下方向の高さが異なっていても一定である。よって、収納されるテープの幅がより広いテープカセット３０ほど、底面３０ｂに設けられた凹部であるヘッド受け部３９ａ、３９ｂの深さは大きくなる。
【００８０】
さらに、本実施形態では、押え受け部３９ｃとカセットケース３１の上下方向中心線Ｎとの距離Ｈ１と、ヘッド受け部３９ａ、３９ｂとカセットケース３１の上下方向中心線Ｎとの距離Ｈ２とは等しくなるように、押え受け部３９ｃおよびヘッド受け部３９ａ、３９ｂの深さが設定されている。なお、ヘッド支持部７４ａ、７４ｂによるヘッド受け部３９ａ、３９ｂの支持と、カセットカバー６のヘッド押え部材７による押え受け部３９ｃの押圧については、後で詳述する。
【００８１】
ところで、テープカセット３０がカセット装着部８に装着された状態でプラテンホルダ１２が印字位置に向けて移動すると（図６〜図８参照）、カセット対向面１２ｂに設けられたアーム検出部２００および係止片２２５がアーム前面３５に対向する。そこで、図４に示すように、アーム前面３５には、アーム検出部２００の検出スイッチ２１０を選択的に押圧することにより、テープ印字装置１にテープカセット３０の種類を検出させる部位であるアーム識別部８００と、係止片２２５が挿入される係止孔８２０とが設けられている。
【００８２】
アーム識別部８００は、特定の配置パターンに応じて、アーム検出スイッチ２１０にそれぞれ対応する位置に設けられた、スイッチ端子２２２を挿脱可能な正面視正方形状のスイッチ孔である非押圧部８０１およびスイッチ端子２２２を挿脱不可能な面部である押圧部８０２のいずれかを含む。つまり、本実施形態のアーム識別部８００は、５つのアーム検出スイッチ２１０に対応する５箇所の位置に、非押圧部８０１および押圧部８０２のいずれかを有する。また、係止孔８２０は、アーム識別部８００の右側上方において左右方向に延びるスリット状の貫通孔である。なお、以下では、非押圧部８０１および押圧部８０２を総称する場合、または何れかを特定しない場合には、単に識別部という。
【００８３】
ここで、図４、図１９〜図２１を参照して、アーム識別部８００および係止孔８２０の詳細な構成について説明する。なお、図４および図１９は、印字済テープ５０（ラミネートタイプの例ではフィルムテープ５９および両面粘着テープ５８）のテープ幅が所定幅（例えば、１８ｍｍ）以上となるテープカセット３０（以下、幅広カセット３０という）におけるアーム識別部８００と係止孔８２０の一例を示している。一方、図２０および図２１は、印字済テープ５０のテープ幅が所定幅未満となるフィルムテープ５９が収納されたテープカセット３０（以下、幅狭カセット３０という）におけるアーム識別部８００と係止孔８２０の一例を示している。
【００８４】
まず、アーム識別部８００について説明する。図１９に示すように、アーム識別部８００の識別部（非押圧部８０１および押圧部８０２）の少なくとも一部は、アーム前面３５において所定の高さＴ１の範囲内に設けられる。所定の高さＴ１は、複数の異なる高さを有するテープカセット３０のうち、最小高さを有するテープカセット３０のカセットケース３１の高さである。
【００８５】
アーム前面３５における所定高さＴ１の範囲内にある領域を、共通識別部８３１という。より好適には、識別部（非押圧部８０１および押圧部８０２）の少なくとも一部は、アーム前面３５における、カセットケース３１の上下（高さ）方向における中心線Ｎを中心とした上下方向に対称な共通識別部８３１内に設けられる。また、図１９に示すように、幅広カセット３０の場合、アーム前面３５の所定高さＴ２の範囲内において、共通識別部８３１の上方および下方の少なくともいずれかに、さらに識別部が設けられていてもよい。なお、アーム前面３５の所定高さＴ２の範囲内で共通識別部８３１以外の領域を、拡張部８３２という。
【００８６】
なお、本実施形態では、各識別部の左右方向の位置は、それぞれ異なっている。つまり、上下方向に重なる識別部はなく、５つの識別孔は、ジグザグに配置されている。よって、各識別部を結ぶ線は、テープカセット３０の着脱方向であるテープカセット３０の上下方向と交差する。
【００８７】
本実施形態では、図１９に例示される幅広カセット３０では、５つの識別部のうち４つが共通識別部８３１の高さＴ１の範囲内に２列で設けられ、１つが共通識別部８３１とその下方の拡張部８３２にまたがって設けられている。より具体的には、共通識別部８３１内の上の列には、テープカセット３０の左側に非押圧部８０１が設けられ、右側に押圧部８０２が設けられている。共通識別部８３１内の下の列には、テープカセット３０の左側に押圧部８０２が設けられ、右側に非押圧部８０１が設けられている。そして、共通識別部８３１と下方の拡張部８３２にまたがって、押圧部８０２が設けられている。このように、幅広カセット３０では、アーム前面３５が広いのに対応して、より大きな面積でアーム識別部８００を構成することで、テープ印字装置１によって検出可能なテープカセット３０の種類数を増やすことができる。
【００８８】
所定幅以上のテープカセット３０において、図１９のように共通識別部８３１と共通識別部８３１の上方および下方の拡張部８３２の少なくともいずれかにまたがって識別部（図１９では最下列の押圧部８０２）が設けられる場合には、図２０および図２１に示すように、幅狭カセット３０の対応する位置には、対向するアーム検出スイッチ２１０を押圧しないように、貫通孔である逃がし孔８０３が形成される。または、逃がし孔８０３に代えて、内側に向けて階段状に曲げ形成した逃がし段差を設けてもよい。このような構成を有するアーム識別部８００を用いたテープカセット３０の種類検出については、後で詳述する。
【００８９】
係止孔８２０は、テープカセット３０がカセット装着部８に装着された場合に係止片２２５が挿脱自在に対向配置される孔である。詳細には、係止孔８２０は、上ケース３１ａと下ケース３１ｂとの結合部にまたがって、アーム識別部８００の最も右側に位置する識別部（図１９の例では、最下列の押圧部８０２）の右端を左端として形成された、平面視で左右方向に長い略長方形状の貫通孔である。また、係止孔８２０は、アーム前面３５の上下方向の開口幅が最も大きく形成されており、内部に向かって漸減するように、係止孔８２０の下壁の一部が水平方向に対して傾斜する傾斜部８２１として形成されている（図２６参照）。
【００９０】
なお、図４に示すように、アーム前面３５において、下ケース３１ｂのアーム識別部８００の左側には、正面視で縦長長方形状の貫通孔８５０が設けられているが、貫通孔８５０は、カセットケース３１の成型時の金型の逃がし用に設けられたものであり、特定の機能は有しない。
【００９１】
また、図５〜図８に示すように、アーム部３４の開口３４ａからテープ排出口４９までのフィルムテープ５９およびインクリボン６０の搬送方向において、ヘッド挿入部３９の下流側には支持孔６４（図１７参照）が設けられ、この支持孔６４の内側にテープ駆動ローラ４６が回動可能に軸支されている。図５および図６に示すラミネートタイプのテープカセット３０がカセット装着部８に装着されている場合は、テープ駆動ローラ４６は、対向する可動搬送ローラ１４との協働により、第２テープスプール４１からフィルムテープ５９を引き出すとともに、第１テープスプール４０から両面粘着テープ５８を引き出し、フィルムテープ５９の印字面にガイドして接着させる。
【００９２】
テープ駆動ローラ４６の上流側には、上下一対の規制部材３６が設けられている。規制部材３６の基部は、サーマルヘッド１０の下流側にて、印字後のフィルムテープ５９を上下方向（テープ幅方向）に規制してテープ排出口４９に向かって案内するとともに、フィルムテープ５９と両面粘着テープ５８との間に位置ズレを生じることなく適正に接着させる。規制部材３６の近傍には、ヘッド挿入部３９を経由して搬送された使用済みのインクリボン６０をフィルムテープ５９から離間させ、リボン巻取スプール４４に向かって案内するための案内壁４７が立設されている。案内壁４７とリボン巻取スプール４４との間には、案内壁４７に沿って案内される使用済みのインクリボン６０と、第１テープスプール４０に巻回して支持された両面粘着テープ５８とが互いに接触するのを防止するための分離壁４８が立設されている。
【００９３】
図７に示すレセプタタイプのテープカセット３０がカセット装着部８に装着されている場合は、テープ駆動ローラ４６と可動搬送ローラ１４との協働により、第１テープスプール４０から印字テープ５７が引き出される。サーマルヘッド１０の下流側では、印字後の印字テープ５７が規制部材３６の基部にて上下方向（テープ幅方向）に規制されつつ、テープ排出口４９に向かって案内される。また、ヘッド挿入部３９を経由して搬送された使用済みのインクリボン６０が、案内壁４７にて印字テープ５７から離間されてリボン巻取スプール４４に向かって案内される。
【００９４】
図８に示すサーマルタイプのテープカセット３０が装着されている場合は、テープ駆動ローラ４６と可動搬送ローラ１４との協働により、第１テープスプール４０から感熱紙テープ５５が引き出される。サーマルヘッド１０の下流側では、印字後の感熱紙テープ５５が規制部材３６の基部にて上下方向（テープ幅方向）に規制されつつ、テープ排出口４９に向かって案内される。
【００９５】
以下に、本実施形態のテープカセット３０がテープ印字装置１に装着された場合のテープカセット３０とテープ印字装置１の作用について説明する。
【００９６】
まず、テープカセット３０の装着態様について説明する。テープカセット３０がカセット装着部８に装着される場合、テープカセット３０は、キャビティ８ａの底面に対して、テープカセット３０の底面３０ｂが対向するように上方から垂直に嵌め込まれる。キャビティ８ａの底面（図示せず）からは、図４に示すヘッドホルダ７４、リボン巻取軸９５およびテープ駆動軸１００が突出している。よって、ユーザは、これらにヘッド挿入部３９、リボン巻取スプール４４、およびテープ駆動ローラ４６の軸孔をそれぞれ挿入しながら、テープカセット３０を嵌め込む。前述したように、ヘッドホルダ７４の右端部と左端部には、それぞれ上流側支持部７４ａと下流側支持部７４ｂとが設けられている。また、テープカセット３０のこれらに対応する位置、具体的には、ヘッド挿入部３９の右側および左後側のヘッド挿入部３９を臨む位置には、上流側受け部３９ａと下流側受け部３９ｂとが設けられている。
【００９７】
したがって、ユーザがテープカセット３０を下方向に押し込むと、図２２に示すように、テープカセット３０の上流側受け部３９ａは、ヘッドホルダ７４のヘッド固着部７４ｄに設けられた上流側支持部７４ａに当接し、上流側受け部３９ａの下方向へのそれ以上の移動が規制される。また、図２３に示すように、テープカセット３０の下流側受け部３９ｂは、ヘッドホルダ７４のヘッド固着部７４ｄに設けられた下流側支持部７４ｂに当接し、下流側支持部７４ｂの下方向へのそれ以上の移動が規制される。そして、テープカセット３０は、ヘッド支持部７４ａ、７４ｂによってヘッド受け部３９ａ、３９ｂが下方から支持された状態で維持される。
【００９８】
そして、印字のためにカセットカバー６が閉じられると、ヘッド押え部材７は、カセット装着部８に装着されたテープカセット３０の上面３０ａに設けられた押え受け部３９ｃに当接し、テープカセット３０を上方から押圧する。図１および図２に示すように、カセットカバー６は、テープ印字装置１の背面上方の左右両端部において軸支されている。よって、カセットカバー６が閉じられる場合、ヘッド押え部材７の先端は、装着されているテープカセット３０の上面３０ａに対して垂直方向に接近するのではなく、後方から前方に向かって鋭角に接近する。ここで、押え受け部３９ｃの後方に設けられた傾斜部３９ｄは、ヘッド押え部材７が押え受け部３９ｃに接近する際の干渉をなくすための逃がし部として機能する（図１６参照）。
【００９９】
このように、本実施形態のテープ印字装置１およびテープカセット３０によれば、印字媒体であるテープ（感熱紙テープ５５、印字テープ５７、フィルムテープ５９のいずれか）に印字を行うサーマルヘッド１０に近接した位置で、上下方向の位置決めを正確に行うことができる。そして、サーマルヘッド１０による上下方向の印字中心位置とフィルムテープ５９のテープ幅方向中心位置を精度よく維持することができる。特に、テープカセット３０は、印字媒体であるフィルムテープ５９の搬送方向において、サーマルヘッド１０の挿入位置、より詳細には印字位置に対して上流側と下流側の両側で支持される。よって、上下方向の位置決めを特に正確に行うことができる。
【０１００】
さらに、ヘッド押え部材７が、上流側受け部３９ａの真上に位置する押え受け部３９ｃに当接して上方から押圧する。つまり、テープカセット３０は、ヘッドホルダ７４の上流側支持部７４ａとヘッド押え部材７とで上下から挟まれた状態になる。したがって、印字位置近くで適切に位置決めして装着された後のテープカセット３０が上方向に移動すること（所謂、浮き）を規制することができる。その結果、サーマルヘッド１０による上下方向の印字中心位置とフィルムテープ５９のテープ幅方向中心位置を精度よく維持することができ、テープの搬送および印字を安定して行うことが可能となる。
【０１０１】
また、本実施形態のテープカセット３０の上流側受け部３９ａと下流側受け部３９ｂとは、互いに直交する方向からヘッド挿入部３９を臨んでいる。いずれも凹部であるヘッド受け部３９ａ、３９ｂに、互いに直交する方向に延びるヘッド支持部７４ａ、７４ｂが挿入されて支持されるので、テープカセット３０は、上下方向のみならず、前後方向および左右方向の移動も規制される。これにより、サーマルヘッド１０とヘッド挿入部３９との適正な位置関係を保持することができる。
【０１０２】
図２２および図２３に示すテープカセット３０よりも高さが低いテープカセット３０がカセット装着部８に装着された場合にも、図２４および図２５に示すように、ヘッド支持部７４ａ、７４ｂにヘッド受け部３９ａ、３９ｂが当接し、支持される。また、カセットカバー６が閉じられると、ヘッド押え部材７は押え受け部３９ｃに当接し、テープカセット３０を上方から押圧する。図２４および図２５に示すテープカセット３０の方が、図２２および図２３に示すテープカセット３０よりも、底面３０ｂに設けられた凹部であるヘッド受け部３９ａ、３９ｂの深さは小さく設定されており、テープカセット３０の上下方向（高さ方向）におけるヘッド受け部３９ａ、３９ｂの位置と、カセットケース３１に収納された印字媒体であるテープの上下方向中心位置（カセットケース３１の上下方向の中心線）Ｎとの距離Ｈ２はテープカセット３０の種類に関わらず一定である。
【０１０３】
また、図２４および図２５に示すテープカセット３０の方が、図２２および図２３に示すテープカセット３０よりも、上面３０ａに設けられた凹部である押え受け部３９ｃの深さは小さく設定されており、テープカセット３０の上下方向（高さ方向）における押え受け部３９ｃの位置と、カセットケース３１の上下方向の中心線Ｎとの距離Ｈ１も、テープカセット３０の種類に関わらず一定である。
【０１０４】
このように、テープカセット３０の種類にかかわらず、つまりテープカセット３０の上下方向の高さが異なっていても距離Ｈ１およびＨ２を一定とすることにより、同一のテープ印字装置１で高さの異なる複数種類のテープカセット３０を使用することができる。また、ヘッド受け部３９ａ、３９ｂおよび押え受け部３９ｃの寸法精度を高めることにより、テープカセット３０の加工精度を効率よく管理することができる。また、幅が異なるテープであっても、テープ幅方向の中心が一致する位置で搬送することで、テープ幅方向で中心に一致していないときにテープ幅方向でのテープへの圧力差によって生じる蛇行を防止することができる。
【０１０５】
さらに、本実施形態では、テープカセット３０の種類に係わらず、テープカセット３０の上下方向（高さ方向）における押え受け部３９ｃの位置とカセットケース３１の上下方向の中心線Ｎとの距離Ｈ１とテープカセット３０の上下方向（高さ方向）におけるヘッド受け部３９ａ、３９ｂの位置とカセットケース３１の上下方向中心線Ｎとの距離Ｈ２とが等しい。この場合、テープカセット３０に対する下方からの支持と上方からの押圧のバランスがよいため、サーマルヘッド１０による上下方向の印字中心位置と印字媒体であるテープのテープ幅方向中心位置との適切な位置関係を安定して維持することができる。
【０１０６】
次に、図１４を参照して、カセットフック７５によるテープカセット３０の係止について説明する。ユーザによって、テープカセット３０がカセット装着部８に嵌め込まれ、下方向に押し込まれると、まず、テープカセット３０の底面３０ｂがカセットフック７５の爪部７５ｂの上部に当接する。爪部７５ｂの上部は後方（図１４では左側）に向かって傾斜しているので、ユーザがさらに下方向にテープカセット３０を押し込むと、底面３０ｂからの押圧により、可撓性を有する突出部７５ａは前方向（図１４で右側）に撓む。
【０１０７】
ユーザがさらに下方向にテープカセット３０を押し込むと、係止部３８の後壁部３８ａが爪部７５ｂの最も突出した位置を越えるので、突出部７５ａは再び元の位置に戻り、図１４に示すように、爪部７５ｂが後壁部３８ａの上部を係止する。このとき、テープカセット３０はヘッド受け部３９ａ、３９ｂにおいて支持された状態である。したがって、ヘッド押え部材７による押え受け部３９ｃの押圧と同様に、テープ印字装置１に装着された後、テープカセット３０が浮き上がる方向、つまり上方への移動をさらに確実に規制することができ、テープの搬送および印字を安定して行うことが可能となる。
【０１０８】
次に、アーム検出部２００によるテープカセット３０の種類の検出および係止片２２５による係止孔８２０への係止について説明する。ユーザによってテープカセット３０がカセット装着部８の適正な位置に装着され、カセットカバー６が閉じられると、プラテンホルダ１２が、図５に示す待機位置から図６〜図８に示す印字位置に向けて移動する。すると、プラテンホルダ１２のカセット対向面１２ｂに設けられたアーム検出部２００および係止片２２５が、テープカセット３０のアーム前面３５に設けられたアーム識別部８００および係止孔８２０にそれぞれ対向する位置に移動する。
【０１０９】
カセット対向面１２ｂから突出する５つのアーム検出スイッチ２１０のスイッチ端子２２２は、アーム識別部８００の対応する位置にそれぞれ設けられた非押圧部８０１または押圧部８０２に対向し、選択的に押圧される。図４および図１９に示す幅広カセット３０では、共通識別部８３１の高さＴ１の範囲内の上の列の左側に非押圧部８０１、右側に押圧部８０２、下の列の左側に押圧部８０２、右側に非押圧部８０１、そして、共通識別部８３１にまたがって、その下方の所定高さＴ２の範囲内に、押圧部８０２が設けられている。よって、図２６に示すように、共通識別部８３１内の上の列の右側の押圧部８０２、下の列の左側の押圧部８０２、および共通識別部８３１およびその下方の拡張部８３２にまたがって設けられた押圧部８０２に対向したスイッチ端子２２２は、押圧部８０２であるアーム前面３５の面部に押圧され、アーム検出スイッチ２１０がオン状態となる。一方、共通識別部８３１の高さＴ１の範囲内の上の列の左側および下の列の右側の非押圧部８０１に対向したスイッチ端子２２２は、非押圧部８０１であるスイッチ孔に挿入され、アーム検出スイッチ２１０がオフ状態となる。
【０１１０】
また、図２０および図２１に示す幅狭カセット３０では、共通識別部８３１に、逃がし孔８０３が設けられている。よって、このテープカセット３０がカセット装着部８に装着された場合、逃がし孔８０３に対向するスイッチ端子２２２は押圧されないので、このアーム検出スイッチ２１０は常にオフ状態となる。このようにして得られた５つのアーム検出スイッチ２１０のオン・オフの組合せに基づいて、テープカセット３０の種類が特定される。より詳細には、アーム検出スイッチ２１０のオン・オフの組合せがテープカセット３０の種類に対応付けられているカセット特定テーブルが、あらかじめＲＯＭ４０２（図１５参照）に記憶されている。そして、ＣＰＵ４０１（図１５参照）が、カセット特定テーブルを参照して、アーム検出スイッチ２１０のオン・オフの組合せに対応するテープカセットの種類を特定する。
【０１１１】
なお、図１９に示す幅広カセット３０の例では、最下列の識別部（押圧部８０２）は、共通識別部８３１およびその下方の拡張部８３２にまたがって設けられているが、共通識別部８３１にまたがらず、拡張部８３２に完全に含まれる識別部（押圧部８０２）を設けてもよい。この場合は、図２０および図２１に示す幅狭カセット３０がカセット装着部８に装着された場合、アーム前面３５の下端はこの識別部に対応する高さ位置よりも上になる。よって、このような場合、幅狭カセット３０に逃がし孔８０３や逃がし段差を設ける必要はない。また、幅広カセット３０の共通識別部８３１の上方の拡張部８３２のみに識別部を設けてもよいし、上方および下方の拡張部８３２の両方に識別部を設けてもよい。
【０１１２】
本実施形態では、テープカセット３０がテープ印字装置１に装着される際、上下方向の位置決めに用いられるヘッド支持受け部３９ａ、３９ｂが、ヘッド挿入部３９を臨む位置、つまり、アーム識別部８００が設けられたアーム部３４に連接する位置に設けられている。したがって、テープカセット３０がテープ印字装置１に装着される際、アーム検出スイッチ２１０とアーム識別部８００との位置関係が精度よく確保されるので、アーム検出スイッチ２１０による誤検出を防止することができる。
【０１１３】
また、幅広カセット３０の場合、共通識別部８３１からテープカセット３０の上下方向に拡大されたアーム前面３５の所定領域（拡張部８３２）にも識別部が形成される。このように、拡張部８３２を有効活用して、テープ印字装置１によって検出可能なテープカセット３０の種類数を増やした場合でも、検出精度を確保することができる。
【０１１４】
また、係止片２２５は、前述したように、各スイッチ端子２２２と比較した突出高さが略同一または大きい。よって、テープカセット３０がカセット装着部８の適正な位置に装着されていれば、係止孔８２０に挿入される。一方、テープカセット３０がカセット装着部８の適正な位置に装着されておらず、係止片２２５が係止孔８２０でなくアーム前面３５の面部に対向した場合には、スイッチ端子２２２はいずれもアーム前面３５によって押圧されない。
【０１１５】
本実施形態では、ヘッド受け部３９ａ、３９ｂにより、テープカセット３０の上下方向の位置決めを正確に行うことができるが、下方向への押し込みが足りない場合等、テープカセット３０が適正に装着されていない場合は、このように、係止片２２５が各スイッチ端子２２２とアーム識別部８００との接触を妨げる。よって、アーム検出スイッチ２１０はすべてオフ状態となる。したがって、前述したカセット特定テーブルにおいて、すべてオフの組合せをテープカセット３０が適正に装着されていない状態であると定めておけば、テープカセット３０の装着状態を検出することができる。
【０１１６】
また、前述したように、係止片２２５は下面に形成された傾斜部２２６によって先端の厚みが漸減し、係止孔８２０はアーム前面３５に向かうほど、下壁部に形成された傾斜部８２１によって上下方向の開口幅が漸増する。そのため、係止片２２５が係止孔８２０に対して僅かに下方向にずれた位置（カセットケース３１がカセット装着部８の適正位置から僅かに浮いた状態）にある場合、プラテンホルダ１２が印字位置に向けて移動すると、傾斜部２２６および傾斜部８２１の相互作用によって係止片２２５が係止孔８２０の内部に案内される。これにより、カセットケース３１がカセット装着部８の適正位置から僅かに浮いた程度であれば、係止片２２５を係止孔８２０内に適切に挿入させて、アーム検出スイッチ２１０をアーム識別部８００に正確に対向させることができる。
【０１１７】
また、前述したように、アーム識別部８００に設けられた識別部は、ジグザグに配置されており、左右方向において同一位置に設けられた識別部はない。つまり、係止片２２５が設けられていないテープ印字装置１や係止孔８２０が設けられていないテープカセット３０の場合、テープカセット３０が上下方向にずれていると、同様に、すべてのアーム検出スイッチ２１０がオン状態となる。したがって、このような検出結果が得られた場合はテープカセット３０が適正に装着されていない状態であることをテープ印字装置１に認識させることができ、誤検出が生じる可能性を低減することができる。
【０１１８】
以上に説明したように、テープカセット３０が上下方向の適正な位置で位置決めされてカセット装着部８に装着されると、テープ駆動軸１００がテープ駆動ローラ４６に嵌挿され、リボン巻取軸９５がリボン巻取スプール４４に嵌挿される。そして、カセットカバー６が閉鎖されるとプラテンホルダ１２が印字位置に移動して、プラテンローラ１５がサーマルヘッド１０に相対するとともに、可動搬送ローラ１４がテープ駆動ローラ４６を押圧する。これにより、テープ印字装置１は、印字媒体であるテープへの印字を実行することが可能な状態となる。また、アーム検出部２００により、テープカセット３０の種類が精度よく検出される。
【０１１９】
図５および図６に示すラミネートタイプのテープカセット３０が装着されている場合、テープ印字装置１における印字実行時には、テープ駆動軸１００を介して回転駆動されるテープ駆動ローラ４６が、可動搬送ローラ１４との協働によって、第２テープスプール４１からフィルムテープ５９を引き出す。また、リボン巻取軸９５を介して回転駆動されるリボン巻取スプール４４が、印字スピードと同期してリボンスプール４２から未使用のインクリボン６０を引き出す。第２テープスプール４１から引き出されたフィルムテープ５９は、リボンスプール４２の外側を通過しながらアーム部３４内の搬送経路に沿って搬送される。さらに、フィルムテープ５９はその表面にインクリボン６０が重合された状態で開口３４ａからヘッド挿入部３９に供給され、テープ印字装置１のサーマルヘッド１０とプラテンローラ１５との間に搬送される。この間も、ヘッド受け部３９ａ、３９ｂ、ヘッド押え部材７、さらにはカセットフック７５の作用により、安定した装着状態が保たれる。
【０１２０】
そして、サーマルヘッド１０による上下方向の印字中心位置とフィルムテープ５９のテープ幅方向中心位置が精度よく維持された状態で、サーマルヘッド１０によって、フィルムテープ５９の印字面に対して文字、図形、記号等が印字される。その後、使用済みのインクリボン６０は案内壁４７にて印字済みのフィルムテープ５９から剥がされ、リボン巻取スプール４４に巻き取られる。一方、テープ駆動ローラ４６と可動搬送ローラ１４との協働によって、第１テープスプール４０から両面粘着テープ５８が引き出される。この両面粘着テープ５８は、テープ駆動ローラ４６と可動搬送ローラ１４との間にガイドされて巻き込まれながら、印字済みのフィルムテープ５９の印字面に重ねられて貼着される。両面粘着テープ５８が貼着された印字済みのフィルムテープ５９（つまり、印字済テープ５０）は、さらにテープ排出口４９に向かって搬送され、カット機構１７によって切断される。
【０１２１】
図７に示すレセプタタイプのテープカセット３０が装着されている場合、テープ駆動軸１００を介して回転駆動されるテープ駆動ローラ４６が、可動搬送ローラ１４との協働によって第１テープスプール４０から印字テープ５７を引き出す。また、リボン巻取軸９５を介して回転駆動されるリボン巻取スプール４４が、印字スピードと同期してリボンスプール４２から未使用のインクリボン６０を引き出す。第１テープスプール４０から引き出された印字テープ５７は、平面視でカセットケース３１の右下部で左方へ折り返され、アーム部３４内の搬送経路に沿って搬送される。
【０１２２】
さらに、印字テープ５７はその表面にインクリボン６０が重合された状態で開口３４ａからヘッド装着部３９に供給され、テープ印字装置１のサーマルヘッド１０とプラテンローラ１５との間に搬送される。そして、サーマルヘッド１０によって印字テープ５７の印字面に対して文字、図形、記号等が印字される。その後、使用済みのインクリボン６０は案内壁４７にて印字済みの印字テープ５７から剥がされ、リボン巻取スプール４４に巻き取られる。一方、印字済みの印字テープ５７（つまり、印字済テープ５０）はさらにテープ排出口４９に向かって搬送され、カット機構１７によって切断される。
【０１２３】
図８に示すサーマルタイプのテープカセット３０が装着されている場合、印字が行われる場合には、テープ駆動軸１００を介して回転駆動されるテープ駆動ローラ４６が、可動搬送ローラ１４との協働によって第１テープスプール４０から感熱紙テープ５５を引き出す。第１テープスプール４０から引き出された感熱紙テープ５５は、平面視でカセットケース３１の右下部で左方へ折り返され、アーム部３４内の搬送経路に沿って搬送される。
【０１２４】
さらに、感熱紙テープ５５はアーム部３４の開口３４ａから開口部７７に供給されて、サーマルヘッド１０とプラテンローラ１５との間に搬送される。そして、サーマルヘッド１０によって感熱紙テープ５５の印字面に対して文字、図形、記号等が印字される。その後、テープ駆動ローラ４６と可動搬送ローラ１４との協働によって、印字済みの感熱紙テープ５５（つまり、印字済テープ５０）はさらにテープ排出口４９に向かって搬送され、カット機構１７によって切断される。
【０１２５】
なお、サーマルタイプの印字実行時には、リボン巻取軸９５を介してリボン巻取スプール４４も回転駆動される。しかしながら、サーマルタイプのテープカセット３０にはリボンスプールが収納されていない。そのため、リボン巻取スプール４４による未使用のインクリボンの引き出しや使用済みのインクリボンの巻き取りは行われない。言い換えると、リボン巻取軸９５を備えたテープ印字装置１にサーマルタイプのテープカセット３０が使用された場合でも、リボン巻取軸９５の回転駆動が感熱紙テープ５５への印字動作に影響を与えることなく適正に印字を行うことができる。なお、上記のテープカセット３０において、リボン巻取スプール４４を設けることなく、支持孔６７ａ、６７ｂ内でリボン巻取軸９５を同様に空転させてもよい。
【０１２６】
なお、本実施形態では、汎用カセットであるテープカセット３０を、汎用機であるテープ印字装置１にて使用している。それにより、テープ印字装置１は１台で感熱タイプ、レセプタタイプ、ラミネートタイプ、感熱ラミネートタイプ等、各種のテープカセットに対応させることが可能であり、１台毎に異なるテープ印字装置を用いる必要がない。また、テープカセットの製造に際し、カセットケースは通常複数の金型を組み合わせた上で樹脂を流し込んで形成するが、同じテープ幅のテープに対応したテープカセットであれば、アーム識別部８００を形成する部分を含む金型等、一部の金型を除いて共通の金型を使用可能なため大変なコスト削減になる。
【０１２７】
なお、本実施形態では、第１テープスプール４０および第２テープスプール４１のいずれかに巻回された、感熱紙テープ５５、印字テープ５７、両面粘着テープ５８、およびフィルムテープ５９が、本発明の「テープ」にそれぞれ相当する。カセットケース３１の上流側受け部３９ａは、「第１支持受け部」に相当し、下流側受け部３９ｂは、「第２支持受け部」に相当する。また、カセットケース３１の押え受け部３９ｃは、「押え受け部」に相当する。
【０１２８】
また、テープ印字装置１のヘッドホルダ７４に設けられた上流側支持部７４ａは、本発明の「第１カセット支持部」に相当し、下流側支持部７４ｂは、「第２カセット支持部」に相当する。また、カセットカバー６が「蓋部」に相当し、ヘッド押え部材７が「押え部材」に相当する。
【０１２９】
<第２の実施形態>
図２７〜図３０を参照して、第２の実施形態について説明する。なお、図２８に例示されているテープカセット３０は、上ケース３１ａを取り外した状態のラミネートタイプのものである。第１の実施形態では、テープ印字装置１のヘッドホルダ７４において、サーマルヘッド１０の挿入位置の上流側と下流側の２箇所に、２つのヘッド支持部７４ａ、７４ｂが設けられている。そして、テープカセット３０には、ヘッド支持部７４ａ、７４ｂに対応して、ヘッド挿入部３９を臨む２箇所にヘッド受け部３９ａ、３９ｂが設けられている。第２の実施形態では、ヘッドホルダ７４の上流側にのみテープカセット３０の支持部が設けられ、テープカセット３０にも、ヘッド挿入部３９を臨む１箇所にのみ支持受け部が設けられる例を説明する。以下では、第１実施形態とは異なる構成を中心に説明し、第１実施形態と同じ構成については、説明を省略する。
【０１３０】
まず、本実施形態のテープ印字装置１について説明する。図２７および図２８に示すように、本実施形態のヘッドホルダ７４は、テープ印字装置１の左右方向に沿って、カセット装着部８の前側に立設された板状部材である。より詳細には、キャビティ８ａの底面下方に固定された台座部７４ｃと、台座部７４ｃから略垂直に屈曲され、上方へ延びるヘッド固着部７４ｄとを備えている。カセット装着部８におけるヘッドホルダ７４の配置位置は、テープカセット３０が装着された場合に、後述するヘッド挿入部３９に対応する位置である。
【０１３１】
図２８に示すように、本実施形態のヘッドホルダ７４は、第１の実施形態（図４参照）とは異なり、左右方向の長さはヘッド挿入部３９の長手方向（左右方向）の長さより短く、完全にヘッド挿入部３９内に収まるサイズである。本実施形態では、ヘッドホルダ７４自体には、テープカセット３０の上下方向を位置決めし、下方から支持するための支持部は設けられていない。その代わり、図２７に示すように、ヘッドホルダ７４の右側に隣接して、上流側支持ピン１０４が設けられている。
【０１３２】
上流側支持ピン１０４は、キャビティ８ａから上方に立設された円柱状部材であり、テープカセット３０がテープ印字装置１に装着された場合に、円柱の上面が後述するテープカセット３０の上流側受け部３９ａに当接し、テープカセット３０を下方から支持する。よって、図２８に示すように、上流側支持ピン１０４の直径は、テープカセット３０の上流側受け部３９ａの平面視形状である長方形の短辺よりも僅かに小さい。
【０１３３】
次に、本実施形態のテープカセット３０について説明する。図２９に示すように、本実施形態のカセットケース３１の下ケース３１ｂには、サーマルヘッド１０に対してテープ搬送方向上流側のヘッド挿入部３９を臨む位置に、底面３０ｂに設けられた凹部である上流側受け部３９ａが設けられている。一方、下流側には、支持受け部となる凹部は設けられていない。なお、本実施形態でも、第１の実施形態と同様、上ケース３１ａには、カセットケース３１の上下方向において、上流側受け部３９ａよりも上方、且つ、平面視で上流側受け部３９ａと重なる位置には、押え受け部３９ｃが設けられている（図３０参照）。
【０１３４】
以下に、本実施形態のテープカセット３０がテープ印字装置１に装着された場合のテープカセット３０とテープ印字装置１の作用について、図３０を参照して説明する。
【０１３５】
テープカセット３０がカセット装着部８に装着され、ユーザがテープカセット３０を下方向に押し込むと、図３０に示すように、テープカセット３０の上流側受け部３９ａは、上流側支持ピン１０４の上面に当接し、上流側受け部３９ａの下方向へのそれ以上の移動が規制される。そして、テープカセット３０は、上流側支持ピン１０４によって上流側受け部３９ａが下方から支持された状態で維持される。
【０１３６】
さらに、第１の実施形態と同様、ヘッド押え部材７が、上流側受け部３９ａの真上に位置する押え受け部３９ｃに当接して上方から押圧する。したがって、印字位置近くで適切に位置決めして装着された後のテープカセット３０が上方向に移動すること（所謂、浮き）を規制することができる。その結果、サーマルヘッド１０による上下方向の印字中心位置とフィルムテープ５９のテープ幅方向中心位置を精度よく維持して、テープの搬送および印字を安定して行うことが可能となる。
【０１３７】
このように、本実施形態のテープカセット３０では、印字媒体であるフィルムテープ５９に印字が行われる直前の位置に、上流側受け部３９ａが設けられている。したがって、サーマルヘッド１０による上下方向の印字中心位置とフィルムテープ５９のテープ幅方向中心位置との位置合わせに関して最も効率的な位置で、上下方向の位置決めを行うことができる。その結果、テープカセット３０がテープ印字装置１に装着される際、アーム検出スイッチ２１０とアーム識別部８００との位置関係が精度よく確保されるので、アーム検出スイッチ２１０による誤検出を防止することができる。
【０１３８】
なお、本実施形態では、テープ印字装置１のカセット装着部８に設けられた上流側支持ピン１０４は、本発明の「第１カセット支持部」に相当する。
【０１３９】
なお、本発明のテープカセット３０およびテープ印字装置１は、前述の実施の形態に限定されるものではなく、本発明の要旨を逸脱しない範囲内において種々変更を加え得ることは勿論である。
【０１４０】
例えば、テープカセット３０に設けられるヘッド受け部３９ａ、３９ｂの形状や位置は、前述の実施形態で例示した形状や位置に限られない。例えば、ヘッド受け部３９ａ、３９ｂは底面視略長方形状であるが、三角形等、その他の形状でも構わない。また、例えば、上流側受け部３９ａの場合、サーマルヘッド１０の挿入位置、より詳細にはサーマルヘッド１０による印字位置よりも印字媒体であるテープの搬送方向上流であればよい。よって、例えば、アーム背面３７に対向する周壁面側に設けられていてもよい。また、下流側受け部３９ｂの場合、サーマルヘッド１０の挿入位置、より詳細にはサーマルヘッド１０による印字位置よりも印字媒体であるテープの搬送方向下流であればよい。
【０１４１】
テープカセット３０に設けられる押え受け部３９ｃの形状や位置も、前述の実施形態で例示した形状や位置に限られない。例えば、前述のヘッド受け部３９ａ、３９ｂと同様の形状の変更が可能である。また、押え受け部３９ｃの位置は、カセットケース３１の上下方向において、上流側受け部３９ａよりも上方、且つ、平面視で上流側受け部３９ａと重なる位置であればよい。よって、前述のように上流側受け部３９ａの位置が変更された場合、それに伴って変更される。また、上記実施形態では、押え受け部３９ｃは上ケース３１ａに設けられているが、下ケース３１ｂに設けられていてもよい。
【０１４２】
上記実施形態においては、汎用のカセットを汎用のテープ印字装置にて使用したが、何れも必ずしも汎用である必要はない。
【０１４３】
アーム識別部８００における非押圧部８０１と非押圧部８０２の形状、サイズ、数、および配置パターンは、前述の実施形態で例示されたものに限らず、適宜変更が可能である。例えば、前述の実施形態では、アーム識別部８００の非押圧部８０１は正面視正方形状の貫通孔であるが、例えば平面視円形状の貫通孔としてもよいし、他の異なる形状としてもよい。
【０１４４】
テープ印字装置１においても、適宜変更が可能である。例えば、第１および第２の実施形態では、カセットカバー６が左右方向の軸回りに回動して後方に向かって開くタイプを例示したが（図１および図２参照）、この例に限られない。例えば、図３１および図３２は、変形例に係るテープ印字装置１を示している。図３１および図３２の右上側がテープ印字装置１の右側、左下側がテープ印字装置１の左側、左上側がテープ印字装置１の後ろ側、右下側が前側である。
【０１４５】
変形例に係るテープ印字装置１は、パーソナルコンピュータ等の汎用のコンピュータ装置に接続可能なタイプであり、キーボードやディスプレイを備えていない。そして、カセットカバー６は、テープ印字装置１の上面右端部において軸支されており、前後方向の軸周りに回動して右方に向かって開く。ヘッド押え部材７は、カセットカバー６が閉じられた場合にテープカセット３０の押え受け部３９ｃに上方から当接して押圧できる限り、その形状は限定されないため、図３２に示すように、この変形例では、カセットカバー６の下面から下方に突出する円柱状の部材で構成されている。
【０１４６】
なお、カセットカバー６が右方に向かって開くテープ印字装置１では、ヘッド押え部材７は、左右方向に延びる空間であるヘッド挿入部３９に沿って押え受け部３９ｃに接近するので、押え受け部３９ｃに当接する前にテープカセット３０と干渉することはない。しかし、押え受け部３９ｃの後方に傾斜部３９ｄを設けておけば、カセットカバー６が後方に向かって開くタイプ（図１および図２）、右方に向かって開くタイプ（図３１および図３２）のいずれのテープ印字装置１でも使用が可能である。
【符号の説明】
【０１４７】
１    テープ印字装置
６    カセットカバー
７    ヘッド押え部材
８    カセット装着部
１０    サーマルヘッド
３０    テープカセット
３０ａ    上面
３０ｂ    底面
３１    カセットケース
３９    ヘッド挿入部
３９ａ    上流側受け部
３９ｂ    下流側受け部
４０    第１テープスプール
４１    第２テープスプール
５５    感熱紙テープ
５７    印字テープ
５９    フィルムテープ
７４    ヘッドホルダ
７４ａ、７４ｂ    ヘッド支持部
７４ａ    上流側支持部
７４ｂ    下流側支持部
１０４    上流側支持ピン
【図１】
2011011342.tif 000003
【図２】
2011011342.tif 000004
【図３】
2011011342.tif 000005
【図４】
2011011342.tif 000006
【図５】
2011011342.tif 000007
【図６】
2011011342.tif 000008
【図７】
2011011342.tif 000009
【図８】
2011011342.tif 000010
【図９】
2011011342.tif 000011
【図１０】
2011011342.tif 000012
【図１１】
2011011342.tif 000013
【図１２】
2011011342.tif 000014
【図１３】
2011011342.tif 000015
【図１４】
2011011342.tif 000016
【図１５】
2011011342.tif 000017
【図１６】
2011011342.tif 000018
【図１７】
2011011342.tif 000019
【図１８】
2011011342.tif 000020
【図１９】
2011011342.tif 000021
【図２０】
2011011342.tif 000022
【図２１】
2011011342.tif 000023
【図２２】
2011011342.tif 000024
【図２３】
2011011342.tif 000025
【図２４】
2011011342.tif 000026
【図２５】
2011011342.tif 000027
【図２６】
2011011342.tif 000028
【図２７】
2011011342.tif 000029
【図２８】
2011011342.tif 000030
【図２９】
2011011342.tif 000031
【図３０】
2011011342.tif 000032
【図３１】
2011011342.tif 000033
【図３２】
2011011342.tif 000034